(57)【要約】【課題】  消費電力を増加させることなく車両後方を撮影するバックビューモニタの撮影領域を照明する技術を提供する。【解決手段】  光軸が車体の後部を向くように取り付けられる光源３１と、光源３１からの光を照射して車両用後退灯具３の機能を満足する配光Ａを形成するように設定される第一の光学部材３３ａと、光源３１からの光のうち第一の光学部材３３ａで用いた光以外の光を照射して車両後方周囲の領域Ｂを撮影する撮影装置２の領域を照射するように設定される第二の光学部材３３ｂと、を備える。【選択図】図２
2009255737.tif 000002
【特許請求の範囲】
【請求項１】
光軸が車体の後部を向くように取り付けられる光源と、
前記光源からの光を照射して車両用後退灯具の機能を満足する配光を形成するように設定される第一の光学部材と、
前記光源からの光のうち前記第一の光学部材で用いた光以外の光を照射して車両後方周囲の領域を撮影する撮影装置の前記領域を照射するように設定される第二の光学部材と、を備える車両用後退灯具。
【請求項２】
前記第一の光学部材及び第二の光学部材が反射面である、請求項１に記載の車両用後退灯具。
【請求項３】
前記第一の光学部材及び第二の光学部材がレンズカットである、請求項１に記載の車両用後退灯具。
【発明の詳細な説明】
【技術分野】
【０００１】
本発明は、車両用後退灯具の照射光を他の照明に用いる技術に関する。
【背景技術】
【０００２】
近年、車両後退時の視界確保のために、車両後方をカメラで撮影しその撮影画像をディスプレイに表示する、いわゆるバックビューモニタと称される画像処理装置が利用されている。
【０００３】
バックビューモニタで撮影する場合、画像品質を向上するためには撮影領域を照明する必要がある。このようなバックビューモニタの照明装置としては、例えばライセンスプレート照明用の光源とバックビューモニタの撮影領域照明用の光源とを設けた照明装置が知られている（特許文献１参照）。また、車両後退時の後方視野確保を考慮した車両用後退灯具が知られている（特許文献２参照）。
【特許文献１】特開２００７−１４５０４８号公報
【特許文献２】特開２００１−１３５１１０号公報
【発明の開示】
【発明が解決しようとする課題】
【０００４】
ところで、特許文献１の技術の場合には、バックビューモニタの撮影領域に非照明領域が生じないようにするため、上述の通りライセンスプレート照明用の光源とバックビューモニタの撮影領域照明用の光源とをそれぞれ設けている。このため、特許文献１の技術では、非照明領域は生じないと考えられるものの、２種類の光源を要することから消費電力の増加のおそれがあると考えられる。
【０００５】
本発明は、以上の点に鑑みてなされたものである。すなわち、本発明は、消費電力を増加させることなく車両後方を撮影するバックビューモニタの撮影領域を照明する技術を提供することをその課題とする。
【課題を解決するための手段】
【０００６】
上記課題を解決するために、本発明は以下の手段とした。
すなわち、本発明は、光軸が車体の後部を向くように取り付けられる光源と、光源からの光を照射して車両用後退灯具の機能を満足する配光を形成するように設定される第一の光学部材と、光源からの光のうち第一の光学部材で用いた光以外の光を照射して車両後方周囲の領域を撮影する撮影装置の領域を照射するように設定される第二の光学部材と、を備える車両用後退灯具である。
【０００７】
本発明では、第一の光学部材を介して車両後方の車両用後退灯具に要求される配光を形成している。
【０００８】
ここで、本発明は、光源からの光を照射して車両用後退灯具の機能を満足する配光を形成するように設定される第一の光学部材と光源からの光のうち第一の光学部材で用いた光以外の光を照射して車両後方周囲の領域を撮影する撮影装置の領域を照射するように設定される第二の光学部材を設けて、車両用後退灯具の光源の発する光を有効に利用している。第一の光学部材と第二の光学部材としては、レンズカットと反射面とが挙げられ、これらを適宜組み合わせることができる。
【０００９】
以上のように構成することによって、本発明によれば、消費電力を増加させることなく車両後方を撮影するバックビューモニタの撮影領域を照明できる。
【発明の効果】
【００１０】
本発明の車両用後退灯具によれば、消費電力を増加させることなく車両後方を撮影するバックビューモニタの撮影領域を照明するという、優れた効果を奏し得る。
【発明を実施するための最良の形態】
【００１１】
[第一の実施の形態]
以下、本発明の車両用後退灯具の第一の実施の形態について、添付図面を参照して説明する。
【００１２】
図１は、後方確認を行うためのバックビューモニタ用カメラ２を後方に設けた車両１に、本発明の第一の実施の形態に係る車両用後退灯具３を適用した概略図である。
【００１３】
本実施の形態において、本発明の車両用後退灯具３は、例えば車両１後部に取り付けられたリアコンビネーションランプ４の一部に設けられる。車両用後退灯具３は、一般の車両用後退灯具に要求される照射領域Ａとともに、バックビューモニタ用カメラ２の撮影領域に対応した照射領域Ｂを照射する。
【００１４】
図２は、第一の実施の形態に係る車両用後退灯具３の側断面図である。
車両用後退灯具３は、上述の通り車両１後部のリアコンビネーションランプ４と一体に、またはバンパー５に独立した灯具として取り付けられる。車両用後退灯具３は、白熱電球などの光源３１とカバーレンズ３２と光源３１の周囲を覆うハウジングを兼ねたリフレクタ３３とを有する。
【００１５】
ここで、リフレクタ３３は、車両用後退灯具に要求される照射領域Ａを照射するために光源３１の光を反射する第一の反射面３３ａ（第一の光学部材に対応）と、照射領域Ｂを照射するために光源３１の光を反射する第二の反射面３３ｂ（第二の光学部材に対応）が設けられている。
【００１６】
すなわち、第一の反射面３３ａは、ほぼ車両１の前後方向と平行な向きにソケットを介して取り付けられた光源３１から車両１の後方に向けて放射される光を反射して照射領域Ａを適切に照射する。また、第二の反射面３３ｂは、第一の反射面３３ａに入射する光とは異なりソケットの軸とほぼ直交する方向（車両の上下方向）に放射される光を反射して照射領域Ｂを適切に照射する。
【００１７】
ここで、第二の反射面３３ｂは、配光制御のためにその形状を放物面系、あるいは自由曲面等の任意の形状にすることや、反射表面にカットを追加することができる。
【００１８】
以上の構成により、車両用後退灯具３は、バックビューモニタ用カメラ２のために別の光源を設けることなく（消費電力を増加させることなく）車両後方を撮影するバックビューモニタの撮影領域を照明することができる。
【００１９】
[第二の実施の形態]
図３は、第二の実施の形態に係る車両用後退灯具３の側断面図である。
【００２０】
第二の実施の形態に係る車両用後退灯具３は、第一の実施の形態に係る車両用後退灯具と異なり、第二の反射面３３ｂを複数段にして配光制御を行っている。
【００２１】
ここで、第二の反射面３３ｂは、第一の実施の形態に係る車両用後退灯具と同様、配光制御のためにその形状を放物面系、あるいは自由曲面等の任意の形状にすることや、反射表面にカットを追加することができる。
【００２２】
[第三の実施の形態]
図４は、第三の実施例に係る車両用後退灯具３の側断面図である。
【００２３】
車両用後退灯具３は、第一及び第二の実施の形態と同様に車両１後部に取り付けられ、白熱電球などの光源３１とカバーレンズ３２と光源３１の周囲を覆うハウジングを兼ねたリフレクタ３３とを有する。
【００２４】
ここで、第三の実施の形態に係る車両用後退灯具３は、そのレンズ３２が車両用後退灯具に要求される照射領域Ａを照射するために光源３１の光を制御する第一のレンズカット３２ａ（第一の光学部材に対応）と、照射領域Ｂを照射するために光源３１の光を制御する第二のレンズカット３２ｂ（第二の光学部材に対応）を有する。
【００２５】
すなわち、第一のレンズカット３２ａは、ほぼ車両１の前後方向と平行な向きにソケットを介して取り付けられた光源３１から車両１の後方に向けて放射される光がリフレクタ３３によって反射されると、その反射光を制御して照射領域Ａを適切に照射する。また、第二のレンズカット３２ｂは、第一のレンズカット３２ａに入射する光より下方に照射される光を制御して照射領域Ｂを適切に照射する。
【００２６】
以上の構成により、車両用後退灯具３は、第一及び第二の実施の形態と同様に、バックビューモニタ用カメラ２のために別の光源を設けることなく（消費電力を増加させることなく）車両後方を撮影するバックビューモニタの撮影領域を照明することができる。
【００２７】
[第四の実施の形態]
図５は、第四の実施の形態に係る車両用後退灯具３の側断面図である。
【００２８】
第四の実施の形態に係る車両用後退灯具３は、第三の実施の形態に係る車両用後退灯具と同様にレンズカットによって照射領域Ａと照射領域Ｂを照射する。
【００２９】
ここで、照射領域Ａについては第三の実施の形態と同様にカバーレンズ３２のレンズカット３２ａ（第一の光学部材に対応）によって配光制御を行なうが、照射領域Ｂについては第三の実施の形態とは異なり、プリズムなどを有するインナーレンズ３４によって配光制御を行っている。
【００３０】
以上の構成により、車両用後退灯具３は、第三の実施の形態と同様に、バックビューモニタ用カメラ２のために別の光源を設けることなく（消費電力を増加させることなく）車両後方を撮影するバックビューモニタの撮影領域を照明することができる。
【図面の簡単な説明】
【００３１】
【図１】後方確認を行うためのバックビューモニタ用カメラを後方に設けた車両に、本発明の実施の形態に係る車両用後退灯具を適用した概略図である。
【図２】第一の実施の形態に係る車両用後退灯具の側断面図である。
【図３】第二の実施の形態に係る車両用後退灯具の側断面図である。
【図４】第三の実施の形態に係る車両用後退灯具の側断面図である。
【図５】第四の実施の形態に係る車両用後退灯具の側断面図である。
【符号の説明】
【００３２】
１    車両
２    バックビューモニタ用カメラ
３    車両用後退灯具
４    リアコンビネーションランプ
５    バンパー
３１    光源
３２    カバーレンズ
３３    リフレクタ
３４    インナーレンズ
【図１】
2009255737.tif 000003
【図２】
2009255737.tif 000004
【図３】
2009255737.tif 000005
【図４】
2009255737.tif 000006
【図５】
2009255737.tif 000007